(57)【要約】【課題】  キャリーケース本体Ｃから取り外してバッグのみを使用する場合に、キャリーケース本体Ｃに取り付けておくための部材が、バッグの外部に露出せず、体裁が悪くなることもなく、またこれらに物が当たったり、引っ掛かったりして邪魔になるということもなく、非常に使用し易いバッグを提供する。【解決手段】  バッグ本体１に設けたポケット２内部の上部両端間に、キャリーケース本体ＣのハンドルＨを貫通させるためのベルト４を前記ポケット２の口部２ａから出没自在として掛け渡し、前記ベルト４の略中央部をバッグ本体１に止着しておくための止着具５を設けたものとしている。【選択図面】    図５【実用新案登録請求の範囲】
【請求項１】
バッグ本体（１）に設けたポケット（２）内部の上部両端間に、キャリーケース本体（Ｃ）のハンドル（Ｈ）を貫通させるためのベルト（４）を前記ポケット（２）の口部（２ａ）から出没自在として掛け渡し、前記ベルト（４）の略中央部をバッグ本体（１）に止着しておくための止着具（５）を設けたことを特徴とするバッグ。
【請求項２】
前記ポケット（２）の口部（２ａ）に開閉ファスナー（３）または被蓋を設けたことを特徴とする請求項１記載のバッグ。
【請求項３】
ベルト（４）の両端部（４ａ）をそれぞれポケット（２）内部の上部両端に縫い付け、この両端部（４ａ）から少し中間部（４ｂ）に寄った個所をそれぞれ直角に折り曲げて縫い合わせ、その直角に折り曲げた状態を維持するようにして、ベルト（４）の中間部（４ｂ）を水平にすることにより、前記ベルト（４）をポケット（２）内部の上部両端間に掛け渡したことを特徴とする請求項１記載のバッグ。
【請求項４】
前記止着具（５）を、ベルト（４）の略中央部と、ポケット（２）内部の上部略中央に取り付けたタレ紐（６）に設けた一対のホック（５ａ、５ａ）または面接着ファスナーとしたことを特徴とする請求項１記載のバッグ。
【請求項５】
前記止着具（５）を、ベルト（４）の略中央部と、ポケット（２）内部の上部略中央に設けた一対のホック（５ａ、５ａ）または面接着ファスナーとしたことを特徴とする請求項１記載のバッグ。
【考案の詳細な説明】
【技術分野】
【０００１】
この考案は、一般にキャリーケースと呼ばれたり、キャスターバッグ等と呼ばれているバッグ本体のハンドルに取り付けておくことのできるバッグに関するものである。
【背景技術】
【０００２】
従来、この種のバッグＢとしては、例えば図７に示したように、キャスター１１を有するキャリーケース本体Ｃに、押したり引いたりして移動させるために取り付けたハンドルＨに、このハンドルＨを貫通させるハンドル通しベルト１２を設けたものが存在する（特許文献１）。
【０００３】
すなわち、前記バッグＢは、キャリーケース本体Ｃの上に載置可能な大きさにしており、後面部に上下方向へ開通した前記ハンドル通しベルト１２を設けている。
【０００４】
そして、前記バッグＢは、キャリーケース本体Ｃの上に載置し、ハンドル通しベルト１２にハンドルＨを貫通させて、そのハンドルＨを押したり引いたりすれば、キャリーケース本体Ｃと一緒に移動させることができる。
【０００５】
したがって、前記バッグＢは、ハンドル通しベルト１２にハンドルＨを通すので移動中に落下する心配がなく、また盗難も防止することができるという効果を有している。
【０００６】
さらに、この種のバッグＢとしては、例えば図８に示したように、前記キャリーケース本体ＣのハンドルＨに、このハンドルＨに固定するためのベルト１３、面接着ファスナー１４による係止部材が前面部に設けられたものが存在する（特許文献２）。
【０００７】
前記バッグＢは、キャリーケース本体Ｃの上に載置し、ハンドルＨにベルト１３を掛け渡し、面接着ファスナー１４で止着しておけば、キャリーケース本体Ｃと一緒に移動させることができる。
【０００８】
したがって、このバッグＢも、前記バッグと同様に移動中に落下する心配がなく、また盗難も防止することができるという効果を有している。
【特許文献１】実用新案登録第３０４５７８６号（第４頁、図１）
【特許文献２】特開２００２−１５９３１９号（第６頁、図１９）
【考案の開示】
【考案が解決しようとする課題】
【０００９】
上記従来のバッグでは、何れにおいてもハンドル通しベルト１２やベルト１３、面接着ファスナー１４がバッグの前面部や後面部に設けられているが、キャリーケース本体Ｃから取り外してバッグのみを使用する場合にも、前記ハンドル通しベルト１２やベルト１３、面接着ファスナー１４がバッグの外部に露出したままになっている。
【００１０】
そのため、バッグのみを使用する場合には、ハンドル通しベルト１２やベルト１３、面接着ファスナー１４が目立って、体裁が悪いという問題点を有していた。さらに、ハンドル通しベルト１２やベルト１３、面接着ファスナー１４が露出しているため、これらに物が当たったり、引っ掛かったりして邪魔になるという問題点を有していた。
【００１１】
そこで、この考案は、上記従来の問題点を解決することをその課題としており、キャリーケース本体Ｃから取り外してバッグのみを使用する場合には、キャリーケース本体Ｃに取り付けておくための部材が、バッグの外部に露出せず、体裁が悪くなることもなく、またこれらに物が当たったり、引っ掛かったりして邪魔になるということもなく、非常に使用し易いバッグを提供することを目的としてなされたものである。
【課題を解決するための手段】
【００１２】
そのため、この考案のバッグは、バッグ本体１に設けたポケット２内部の上部両端間に、キャリーケース本体ＣのハンドルＨを貫通させるためのベルト４を前記ポケット２の口部２ａから出没自在として掛け渡し、前記ベルト４の略中央部をバッグ本体１に止着しておくための止着具５を設けたものとしている。
【００１３】
そして、この考案のバッグでは、前記ポケット２の口部２ａに開閉ファスナー３または被蓋を設けたものとしている。
【００１４】
さらに、この考案のバッグでは、ベルト４の両端部４ａをそれぞれポケット２内部の上部両端に縫い付け、この両端部４ａから少し中間部４ｂに寄った個所をそれぞれ直角に折り曲げて縫い合わせ、その直角に折り曲げた状態を維持するようにして、ベルト４の中間部４ｂを水平にすることにより、前記ベルト４をポケット２内部の上部両端間に掛け渡したものとしている。
【００１５】
また、この考案のバッグでは、前記止着具５を、ベルト４の略中央部と、ポケット２内部の上部略中央に取り付けたタレ紐６に設けた一対のホック５ａ、５ａまたは面接着ファスナーとしている。
【００１６】
さらに、この考案のバッグでは、前記止着具５を、ベルト４の略中央部と、ポケット２内部の上部略中央に設けた一対のホック５ａ、５ａまたは面接着ファスナーとしている。
【考案の効果】
【００１７】
この考案のバッグは、以上に述べたように構成されているので、バッグのみを使用する場合には、キャリーケースに取り付けておくための部材を、ポケット内部に入れておけばバッグの外部に露出せず、体裁が悪くなることもなく、またこれらに物が当たったり、引っ掛かったりして邪魔になるということもなく、非常に使用し易いものとなる。
【考案を実施するための最良の形態】
【００１８】
以下、この考案のバッグを実施するための最良の形態を、図面に基づいて詳細に説明する。
【００１９】
この考案のバッグは、図１〜４に示したように、バッグ本体１の前面部、後面部の何れか一方または両方にポケット２を設けている。このポケット２は、マチ幅を有したものとしてもよいが、図示したようにマチ幅を有していないものとしてもよい。前記ポケット２の上部には、口部２ａを設けており、この口部２ａには被蓋を設けたものとしてもよいが、図示したように開閉ファスナー３を設けたものとしてもよい。
【００２０】
前記何れかのポケット２には、ポケット２内部の上部両端間に、キャリーケースＣのハンドルＨを貫通させるためのベルト４を掛け渡したものとしている。すなわち、ベルト４の両端部４ａをそれぞれポケット２内部の上部両端に縫い付け、この両端部４ａから少し中間部４ｂに寄った個所をそれぞれ直角に折り曲げて縫い合わせ、その直角に折り曲げた状態を維持するようにして、ベルト４の中間部４ｂを水平にすることにより、前記ベルト４をポケット２内部の上部両端間に掛け渡したものとしている。そして、このベルト４は、ポケット２の口部２ａから出没自在としている。図示した実施の形態では、前記したようにベルト４をポケット２内部の上部両端間に掛け渡すことにより、前記ベルト４は、中間部４ｂのみをポケット２の口部２ａから出没自在としているので、ベルト４の両端部４ａのポケット２内部への縫い付け部はポケット２内部に位置し、ベルト４をポケット２の口部２ａから外に出しているときも露出しないものとなる。
【００２１】
さらに、前記ベルト４には、このベルト４の略中央部をバッグ本体１に止着しておくための止着具５を設けたものとしている。この止着具５は、図１、２に示したものでは、ベルト４の略中央部と、ポケット２内部の上部略中央に取り付けたタレ紐６に設けた一対のホック５ａ、５ａや面接着ファスナー（図示せず）としている。また、前記止着具５は、図３、４に示したものでは、ベルト４の略中央部と、ポケット２内部の上部略中央に設けた一対のホック５ａ、５ａや面接着ファスナー（図示せず）としている。
【００２２】
以上のように構成したこの発明のバッグは、キャリーケースのハンドルに取り付ける場合には、図２、４に示したように、ポケット２の開閉ファスナー３を開いて口部２ａを開口し、この口部２ａからベルト４を外に出す。そして、バッグ本体１をキャリーケース本体Ｃの上に載置し、ベルト４にハンドルＨを貫通させ、図５、６に示したように、ベルト４の略中央部を止着具５によってバッグ本体１に止着する。
【００２３】
このようにすれば、この発明のバッグは、キャリーケース本体Ｃと一緒に移動させているときは、キャリーケース本体Ｃから落下する心配がなく、また盗難も防止することができる。しかも、ポケット２から外に出したベルト４は、両端部４ａのポケット２内部への縫い付け部が露出していないので、余り目立たないものとなる。
【００２４】
また、この発明のバッグは、キャリーケースＣのハンドルＨから取り外して使用する場合には、バッグ本体１に止着した止着具５を外してハンドルＨからベルト４を抜き、このベルト４をポケット２内部に入れ、図１、３に示したように、ポケット２の開閉ファスナー３を閉じればよい。
【００２５】
このようにすれば、この発明のバッグは、ベルト４がバッグ本体１の外に露出せず、体裁が悪くなることもなく、またベルトに物が当たったり、引っ掛かったりして邪魔になるということもない。
【図面の簡単な説明】
【００２６】
【図１】この考案のバッグの一実施形態を示す背面図である。
【図２】図１に示したこの考案のバッグのベルトをポケットの口部から外へ出した状態を示す背面図である。
【図３】この考案のバッグの他の実施形態を示す背面図である。
【図４】図３に示したこの考案のバッグのベルトをポケットの口部から外へ出した状態を示す背面図である。
【図５】図１に示したこの考案のバッグをキャリーケースのハンドルに取り付けた状態を示す説明図である。
【図６】図３に示したこの考案のバッグをキャリーケースのハンドルに取り付けた状態を示す説明図である。
【図７】キャリーケースのハンドルに取り付けた従来のバッグの一例を示す斜視図である。
【図８】キャリーケースのハンドルに取り付けた従来のバッグの他の例を示す斜視図である。
【符号の説明】
【００２７】
１  バッグ本体
２  ポケット
２ａ  口部
３  開閉ファスナー
４  ベルト
４ａ  両端部
４ｂ  中間部
５  止着具
５ａ  ホック
６  タレ紐
Ｃ  キャリーケース
Ｈ  ハンドル
【図１】
0003104097.tif 000002
【図２】
0003104097.tif 000003
【図３】
0003104097.tif 000004
【図４】
0003104097.tif 000005
【図５】
0003104097.tif 000006
【図６】
0003104097.tif 000007
【図７】
0003104097.tif 000008
【図８】
0003104097.tif 000009